(57)【要約】      （修正有）【課題】継手の固定装置を提供する。蛇口の出水口端の管部を継手の継ぎ口端内に挿入した後、水源を開くと、水圧の圧力またはその他の外部からの力を利用し、継手内の各噛み合わせ素子が押されるようにする。噛み合わせ素子を前記管部にきつく当接させて噛ませ、継手を管部上に固定する。そのため、継手と管部との間の接合の操作は、さらに簡単で、迅速で、力を必要としなくなる。【解決手段】継手１の上端に設け、蛇口４の管部５を挿入することが可能な継ぎ口端と、継手内の管部周囲の対応する箇所に設け、数セットの揺動可能な噛み合わせ素子と、継手内に設け、各噛み合わせ素子を押し出し可能な押し出し素子とを主に含む。水を継手内の押し出し素子の下方に流入させるときに、水圧の圧力を介し、押し出し素子が上に押され、噛み合わせ素子を上向きに揺動する。【選択図】図１
2009162381.tif 000002
【特許請求の範囲】
【請求項１】
継手上に管部を挿入可能な継ぎ口端が設けてあり、接続する管部周囲に対応した継手内に、数セットの揺動または移動可能な噛み合わせ素子が環設してあり、かつ噛み合わせ素子下方に隣接する継手内に、移動可能な押し出し素子を設け、水圧の圧力またはその他の外部からの力を介し、押し出し素子に、各噛み合わせ素子を押し出す作用を生成させることによって、各噛み合わせ素子を該管部にきつく当接させ、噛み合わせ、継手を管部上に固定する継手の固定装置。
【請求項２】
各噛み合わせ素子を、対応する継手内に設けられた枢接部に枢設する請求項１に記載の継手の固定装置。
【請求項３】
該各噛み合わせ素子の側面に凹部が設けてあり、該枢接部の両対応面に、前記凹部内に嵌め込み可能な凸部がそれぞれ設けてある請求項２に記載の継手の固定装置。
【請求項４】
該噛み合わせ素子の管部を噛み合わせる面に、ラチェットが設けてある請求項１に記載の継手の固定装置。
【請求項５】
該押し出し素子の底端面が、環凹部を呈する請求項１に記載の継手の固定装置。
【請求項６】
該押し出し素子が環状体を呈し、内、外環面は、管部と継手体との間に密接に合わせることが可能な請求項１に記載の継手の固定装置。
【請求項７】
押し出し素子と噛み合わせ素子との間に、ガスケットが設けてある請求項１に記載の継手の固定装置。
【請求項８】
各噛み合わせ素子を、対応する継手内に設けた枢接部に収容した請求項１に記載の継手の固定装置。
【請求項９】
各噛み合わせ素子の両側にガイド部が設けてあり、ガイド部を収容可能で斜めに設けたガイド溝が枢接部に設けてある請求項８に記載の継手の固定装置。
【請求項１０】
該継手は、相互に螺合する上蓋素子と、接合素子とを含み、該上蓋素子は、管部を挿入可能で、管部周囲に対応する上蓋素子内に、数セットの噛み合わせ素子が滑接してあり、該接合素子内に噛み合わせ素子を押し出し可能な押し出し部が設けてある請求項１に記載の継手の固定装置。
【発明の詳細な説明】
【技術分野】
【０００１】
本発明は、管部をその他の管部に接続するときの、外部からの力を受けて突き出した後、挿入した管部を噛み合わせることが可能な噛み合わせ素子が継手内に設けてあり、その外部からの力は、管内の液体の圧力またはその他の補助の力とすることができる継手構造を提供する。
【背景技術】
【０００２】
蛇口の出水口端にホースを接続するときに、通常、継手を介して接続する必要がある。この継手を蛇口上に固接する型式は、一部の蛇口の出水口端に内ねじ山または外ねじ山が設けてあり、継手上に設けられた対応するねじ山を螺接することができることを除き、大部分の公知の蛇口の出水口端は、いずれも平滑でねじ山のない設置となっているため、連結する継手に、蛇口上に固定可能な構造または装置が必要である。図１に示すように、継手１の両側に開放した溝１１をそれぞれ設け、蛇口４の出水口端を継手１内に挿入した後、ボールチェーン２を蛇口４上に巻き付け、ボールチェーン２の両端の適切な位置のボールを継手１両側の溝１１に嵌め込むことによって、継手１を蛇口４上に被せ、抜けないようにする。
【発明の開示】
【発明が解決しようとする課題】
【０００３】
前記継手１と蛇口４との間の結合は、操作が便利であるが、ボールチェーン２の嵌め込み位置は必ずしも各種様式の蛇口上に適用可能ではない。そのため、ボールチェーン２が継手１をきつく引っ張ることができず、継手１と蛇口４との間を密接に合わせることができず、水が外に漏れる可能性があり、またはボールチェーン２がきつく引っ張りすぎ、継手１が斜めに歪み、同様に水漏れが発生する可能性がある。
【０００４】
または、図２に示すように、継手１の周囲に数本のねじ３が螺設してあり、継手１を蛇口４の出水端に被せた後、各ねじ３をきつく締め、継手１を蛇口４上に固定する。継手１を蛇口４上に比較的安定して固定することができるが、固定時にねじ回しの工具を介さなければ完了することができない。装着時に比較的面倒で、不便であると同時に、ねじ３をきつく締めた後、蛇口４の出水口端の見た目が悪くなる。
【０００５】
また、前記各型式の継手１は、ホース５が詰まったときに、継手１内の水圧が急上昇し、水の排出先がない状況の下で、継手１と蛇口４との継ぎ口箇所から漏洩して噴出する。継手１を蛇口４上に固定する力が足りずに、蛇口４から抜けることもある。
【課題を解決するための手段】
【０００６】
前記継手装着上の問題を改善するため、本発明で採用する技術手法は、継手を設け、継手の蛇口出水端への挿入箇所の内部周囲に、揺動可能な噛み合わせ素子をそれぞれ枢設し、継手内に、継手と蛇口との間に密接に合わせ、各噛み合わせ素子を押し出すことが可能な押し出し素子を設けるというものである。
【発明の効果】
【０００７】
前記本発明の押し出し素子は、水圧の圧力の作用を受けた後、上向きに移動することによって、各噛み合わせ素子を押し出して揺動し、蛇口をきつく締め、継手を蛇口上に固定する目的を達成することができる。そのため、継手の固定の操作にさらに力がかからず、簡単で容易になる。
【発明を実施するための最良の形態】
【０００８】
図３、４に示すように、本発明の継手６は、上端に継ぎ口端６１２を有し、下端にねじ山部６１１を有する上蓋素子６１と、上端にねじ山部６１１と螺接可能なねじ山部６２１が設けてある接合素子６２とを主に含む。上蓋素子６１内の蛇口４出水口端に対応する周囲に、数セットの枢接部６１３が設けてある。かつ、枢接部６１３の両内側面上に凸部６１４が設けてある。各枢接部６１３上に噛み合わせ素子６３を収容し、各噛み合わせ素子６３の両側に、凸部６１４を嵌め込むことが可能な凹部６３２が設けてある。また、各噛み合わせ素子６３の蛇口４に対応する面には、ラチェット６３１が設けてある。
【０００９】
また、接合素子６２内に押し出し素子６４が収容され、押し出し素子６４を接合素子６２と蛇口４との間に密接に合わせることができる。また、押し出し素子６４の底端は、環凹部６４１を呈し、かつ押し出し素子６４の上端にガスケット６５を隣接することによって、ガスケット６５を押し出し素子６４と各噛み合わせ素子６３との間にする。次に、接合素子６２の押し出し素子６４に対応する下端の箇所の周囲に、間隔をあけて数個の押し出し部６２２が設けてある。最後に、接合素子６２の下端に、快速継手７と接続可能な接合端６２３が設けてある。
【００１０】
図５に示すように、継手６上端の上蓋素子６１の継ぎ口端６１２を、蛇口４の出水口端に挿入した後、本来、蛇口４の周囲にあった噛み合わせ素子６３は、下に置かれ、蛇口４に噛み合っていない状態を呈する。蛇口４を開くと、継手６の下端が詰まり、継手６内を水で満たし、水圧を形成し、前記水圧の圧力により、押し出し素子６４及びガスケット６５を上に移動させることができる。これによって、各噛み合わせ素子６３を押し出して上向きに揺動し、各噛み合わせ素子６３のラチェット６３１が蛇口４にきつく噛み合うようにし、継手６を蛇口４上に固定する。このようにして、快速継手７を接続し、ホース５に沿って水を送り出すことができる。
【００１１】
継手６を蛇口４上に固定する操作全体は、ほぼ完全に力を必要とせず、簡単かつ迅速で、工具または備品を使用せずに操作を完了することができる。かつ、ホース５が詰まった場合、継手６内の水圧が急上昇し、押し出し素子６４が水圧の作用を受け、噛み合わせ素子６３をさらにきつく押す。そのため、噛み合わせ素子６３は蛇口４をさらにきつく噛み、継手６が蛇口４からさらに抜けにくくなるだけでなく、押し出し素子６４の環凹部６４１は、さらに水圧の圧力の作用の下で、その両側が蛇口４とさらに緊密に合わさり、水漏れが発生しにくくなる。
【００１２】
また、蛇口４の水圧の圧力が足りない場合、接合素子６２をさらにきつく締め、押し出し素子６４が押し出し部６２２に支持されるようにし、押し出し素子６４を下向きに移動させ、各噛み合わせ素子６２を押すと、同様に各噛み合わせ素子６２で蛇口４を噛み合わせることができる。
【００１３】
次に、前記本発明の継手６の構造は、蛇口４上への接続に使用するだけでなく、さらに広範に管と管との間の接続に使用することができる。かつ継手６の接合端６２３については、接合する継手または管に応じて、異なる設計とすることができる。
【００１４】
また、前記の噛み合わせ素子６３を蛇口４に噛み合わせて固定する構造方式は、図６に示すようにすることもできる。すなわち、上蓋素子６１内に設けた枢接部６１３上にガイド溝６１５を斜めに設け、各枢接部６１３に対応する箇所の噛み合わせ素子６３の両側にガイド部６３３が設けてあり、両側のガイド部６３３はガイド溝６１５内に収容し、接合素子６２の上端は押し出し部６２４に設けてある。そのため、図７、８に示すように、接合素子６２をきつく締めることによって、押し出し部６２４を各噛み合わせ素子６３の下端に向けて上向きに押し出し、各噛み合わせ素子６３をガイド溝６１５に沿って上向きに、内側に移動する。最後に、蛇口４を噛み合わせ、前記と同じ固定の目的を達成することができる。
【図面の簡単な説明】
【００１５】
【図１】公知の蛇口継手の実例１の概要図である。
【図２】公知の蛇口継手の実例２の概要図である。
【図３】本発明の立体分解概要図である。
【図４】本発明の断面概要図である。
【図５】本発明の作動概要図である。
【図６】本発明のもう１つの実施例の立体分解概要図である。
【図７】本発明のもう１つの実施例の断面図である。
【図８】本発明のもう１つの実施例の作動概要図である。
【符号の説明】
【００１６】
４蛇口
５ホース
６継ぎ手
６１上蓋素子
６１１ねじ山部
６１２継ぎ口端
６１３枢接部
６１４凸部
６１５ガイド溝
６２接合素子
６２１ねじ山部
６２２押し出し部
６２３接合端
６２４押し出し部
６３噛み合わせ素子
６３１ラチェット
６３２凹部
６３３ガイド部
６４押し出し素子
６４１環凹部
６５ガスケット
７快速継手
【図１】
2009162381.tif 000003
【図２】
2009162381.tif 000004
【図３】
2009162381.tif 000005
【図４】
2009162381.tif 000006
【図５】
2009162381.tif 000007
【図６】
2009162381.tif 000008
【図７】
2009162381.tif 000009
【図８】
2009162381.tif 000010